(57)【要約】【課題】製造加工を容易、且、迅速に実行し得るとともに、優れた機械的強度と、雨水等の貯留空間を広く確保し、且、幅、深さ、及び、長さを自在に変更し、平面積、及び、容積の違いに容易に追従し得る雨水等処理設備用構造体、及び、これを用いた雨水等処理設備を提供する。【解決手段】複数の凹凸板２０のそれぞれは、表面及び裏面において、条状の凹部２２、及び、凸部２１を交互に繰り返す板状部材である。複数の凹凸板２０は、隣接する凹凸板２０の相対向面において、それぞれの凹部２２、及び、凸部２１が直交するように順次に組み合わされ、直交する部分で凸部２１が互に接触する接触部２３を有する。【選択図】      図１
2004204648.tif 000002
【特許請求の範囲】
【請求項１】
複数の凹凸板を含む雨水等処理設備用構造体であって、
前記複数の凹凸板のそれぞれは、表面及び裏面において、条状の凹部及び凸部を交互に繰り返す板状部材であり、
前記複数の凹凸板は、隣接する前記凹凸板の相対向面において、それぞれの前記凹部及び前記凸部が直交するように順次に組み合わされ、前記直交する部分で前記凸部が互に接触する部分を有する
雨水等処理設備用構造体。
【請求項２】
請求項１に記載された雨水等処理設備用構造体であって、更に、少なくとも１つの面板部材を含み、
前記面板部材は、平板状であり、前記複数の凹凸板の一端に組み合わされている
雨水等処理設備用構造体。
【請求項３】
請求項２に記載された雨水等処理設備用構造体であって、
前記面板部材は、天板部材と、底板部材とを含み、
前記天板部材、及び、前記底板部材は、前記複数の凹凸板の両端に組み合わされている
雨水等処理設備用構造体。
【請求項４】
複数の凹凸板を含む雨水等処理設備用構造体であって、
前記凹凸板は、表面及び裏面において、条状の凹部及び凸部を交互に繰り返す板状部材であり、さらに、天板部と、底板部とを有し、
前記天板部と、前記底板部のそれぞれは、前記凹凸板の長さ方向の両端部に備えられている
雨水等処理設備用構造体。
【請求項５】
複数の凹凸板を含む雨水等処理設備用構造体であって、
前記複数の凹凸板のそれぞれは、請求項４に記載されたものでなり、
前記複数の凹凸板は、隣接する前記凹凸板の相対向面において、それぞれの前記凹部及び前記凸部が、直交するように順次に組み合わされ、前記直交する部分で前記凸部が互に接触する部分を有する
雨水等処理設備用構造体。
【請求項６】
複数の凹凸板を含む雨水等処理設備用構造体であって、
前記複数の凹凸板のそれぞれは、請求項４に記載されたものでなり、
前記複数の凹凸板は、隣接する前記凹凸板の相対向面において、それぞれの前記凹部及び前記凸部が、平行するように順次に組み合わされ、前記凸部が互に接触する部分を有する
雨水等処理設備用構造体。
【請求項７】
凹凸板を含む雨水等処理設備用構造体であって、
前記凹凸板は、表面及び裏面において、条状の凹部及び凸部を交互に繰り返す板状部材であり、
前記凹凸板は、全周が側板部で覆われている
雨水等処理設備用構造体。
【請求項８】
複数の凹凸板を含む雨水等処理設備用構造体であって、
前記複数の凹凸板のそれぞれは、請求項７に記載されたものでなり、
前記複数の凹凸板は、隣接する前記凹凸板の相対向面において、それぞれの前記凹部及び前記凸部が、直交するように順次に組み合わされ、前記直交する部分で前記凸部が互に接触する部分を有する
雨水等処理設備用構造体。
【請求項９】
複数の凹凸板を含む雨水等処理設備用構造体であって、
前記複数の凹凸板のそれぞれは、請求項７に記載されたものでなり、
前記複数の凹凸板は、隣接する前記凹凸板の相対向面において、それぞれの前記凹部及び前記凸部が、平行するように順次に組み合わされ、前記凸部が互に接触する部分を有する
雨水等処理設備用構造体。
【請求項１０】
雨水等処理設備用構造体と、処理層とを含む雨水等処理設備であって、
前記雨水等処理設備用構造体は、請求項１乃至９の何れかに記載されたものでなり、地中に埋設されており、
前記処理層は、遮水層であって、前記雨水等処理設備用構造体の周囲に設けられている
雨水等処理設備。
【請求項１１】
雨水等処理設備用構造体と、処理層とを含む雨水等処理設備であって、
前記雨水等処理設備用構造体は、請求項１乃至９の何れかに記載されたものでなり、地中に埋設され、
前記処理層は、透水層であって、前記雨水等処理設備用構造体の周囲に設けられている
雨水等処理設備。
【発明の詳細な説明】
【０００１】
【発明の属する技術分野】
本発明は、雨水等処理設備用構造体、及び、雨水等処理設備に関する。本発明に係る雨水等処理設備は、雨水等の貯留設備と、貯留した雨水等を地中に緩やかに排出する浸透設備との両者を含む。
【０００２】
【従来の技術】
この種の雨水等処理設備は、集水した雨水等の貯留施設として地中に埋設される雨水等貯留設備と、集水した雨水等を一時的に貯留してのち、地中に緩やかに浸透させて排出することにより、河川への急激な雨水等の流入を調整する目的や、地下水脈への浸透水量を確保し地盤沈下を抑止する目的で、地中に埋設される雨水等浸透設備との両者がある。上述した雨水等処理設備に関しては、従来より、種々のタイプのものが提案され、実用に供されている。
【０００３】
例えば、特許文献１は、透水性コンクリートを用いた側壁部材、間仕切り壁部材、及び、上床板部材等を組み合わせた雨水等の貯留浸透槽を開示している。
【０００４】
特許文献２は、貯水ブロックを敷きつめて構成された雨水等の貯留構造物を開示している。
【０００５】
特許文献３は、箱形の充填体を、上下逆向きにして積み重ね、これらを、連結具によって上下、左右、及び、前後に連結した雨水等の貯留装置を開示している。
【０００６】
特許文献４は、特有の構造を持つ数種のコンクリートブロックを組み合わせて構成した地下貯水槽を開示している。
【０００７】
しかし、上述した従来技術のいずれも、個々の構成部材の体積、及び、重量が大きいから、取り扱いに過剰な労力を要するという問題がある。
【０００８】
しかも、各部材を連結具によって相互に連結する等の複雑な接合作業を必要とするという点で、組み立て作業が容易でないという問題がある。
【０００９】
また、上述した雨水等処理設備は、製造加工が必ずしも容易ではないコンクリート製規格物、または、その組み合わせにより構成されているため、多様な需要、及び、施工条件に対応できないという問題がある。
【００１０】
更に、従来技術に係る雨水等処理設備用構造体では、土圧等の押圧力に対抗し得るだけの機械的強度を確保するため、個々の構造体が大型化または肉厚化する傾向にあり、雨水等処理設備において構造体自体の占拠率が高くなるから、雨水等の貯留空間の有効利用が妨げられるという問題がある。
【００１１】
雨水等処理設備に関し、特許文献５は、地面を堀下げて構成したタンク部内に、複数の区画に仕切った区画枠体を縦横、かつ、上下に連設して充填し、最上部には、被覆手段を施したことを特徴とする雨水等の貯留浸透タンクを開示する。
【００１２】
しかし、上述した雨水等処理設備において使用される区画枠体は、合成樹脂材料等を用いて一体的に成型されるから、設置場所ごとの平面積、及び、容積の違いに容易には追従し得ない。
【００１３】
また、区画枠体は完全に区画された構造を有するから、一旦、各区画の内部に流入した雨水等は、他の区画への流動が困難である。このため、貯留空間を効率的に利用することができない。
【００１４】
さらに、上記の区画枠体の構造では、土中に複数の区画枠体を連接して充填した場合に生じる区画枠体相互間の重量や、土圧に耐え得る機械的強度が不十分である。
【００１５】
特許文献６は、地面を堀下げて構成したタンク部内に、複数の容器状部材を縦横かつ上下に連設して充填し、最上部には、被覆手段を施した雨水等の貯留浸透施設を開示する。
【００１６】
しかし、上述した容器状部材は、前記区画枠体と同様に、合成樹脂材料等を用いて一体的に成型されるから、設置場所ごとの平面積、及び、容積の違いに容易に追従し得ない。
【００１７】
また、上述した雨水等の浸透設備において充填される容器状部材は、複雑な構造を有し、製造加工が容易でない。
【００１８】
さらに、埋設時に生じる容器状部材相互間の重量や土圧に耐え得る機械的強度が不十分である。
【００１９】
【特許文献１】
特開平１０−２３７９３２号公報
【特許文献２】
特開２００１−１１５５０８号公報
【特許文献３】
特開２０００−１９９２４６号公報
【特許文献４】
特許第２６３４３８５号公報
【特許文献５】
特公平４−３５５８０号公報
【特許文献６】
特公平４−２６６４８号公報
【００２０】
【発明が解決しようとする課題】
本発明の課題は、優れた機械的強度を有する雨水等処理設備用構造体、及び、これを用いた雨水等処理設備を提供することである。
【００２１】
本発明のもう一つの課題は、製造加工や組み立て作業を容易、且、迅速に実行し得る雨水等処理設備用構造体、及び、これを用いた雨水等処理設備を提供することである。
【００２２】
本発明の更にもう一つの課題は、雨水等の貯留空間を広く確保することができる雨水等処理設備用構造体、及び、これを用いた雨水等処理設備を提供することである。
【００２３】
本発明の更にもう一つの課題は、幅、深さ、及び、長さを自在に変更し、平面積、及び、容積の違いに容易に追従し得る雨水等処理設備用構造体、及び、これを用いた雨水等処理設備を提供することである。
【００２４】
【課題を解決するための手段】
１．雨水等処理設備用構造体
上述した課題を解決するため、本発明に係る雨水等処理設備用構造体は、複数の凹凸板を含む。前記複数の凹凸板のそれぞれは、表面及び裏面において、条状の凹部及び凸部を交互に繰り返す板状部材である。前記複数の凹凸板は、隣接する前記凹凸板の相対向面において、それぞれの前記凹部及び前記凸部が、直交するように順次に組み合わされ、前記直交する部分で前記凸部が互に接触する部分を有する。
【００２５】
上述のように、複数の凹凸板のそれぞれは、表面及び裏面において、条状の凹部及び凸部を交互に繰り返す板状部材であるから、優れた機械的強度を有する。
また、凹部及び凸部を交互に繰り返す構造は、製造加工を容易、且、迅速に実行しうる。従って、それら凹凸板を含む雨水等処理設備用構造体は、製造加工を容易、且、迅速に実行しうるとともに、優れた機械的強度を有することになる。
【００２６】
雨水等処理設備用構造体は、構成部材たる凹凸板は、その凹凸形状により、雨水等処理設備において構造体の占拠率を低減することができるから、雨水等の貯留空間を広く確保することができる。また、凹凸板を軽量な薄板構造で形成することができるから、雨水等処理設備用構造体の組み立て作業を容易に実行できる。
【００２７】
凹凸板は、表面及び裏面において、条状の凹部及び凸部を交互に繰り返す板状部材である。従って、凹凸形状を同一ピッチで成形することにより、複数の凹凸板を相互に密着して重ね合わせることができるから、嵩張ることがない。このため、複数の凹凸板の運搬作業を容易、且、迅速に行うことができる。
【００２８】
複数の凹凸板は、隣接する凹凸板の相対向面において、それぞれの凹部及び凸部が、直交するように順次に組み合わされる。従って、上述した組み合わせ構造によると、少なくとも２方向から加えられる土圧等の押圧力に対抗することができるから、雨水等処理設備用構造体は、優れた機械的強度を確保し得る。
【００２９】
また、上述した組み合わせ構造によると、凹凸板は、複数の接触する部分により、土圧等の押圧力を分散して支持することができるから、優れた機械的強度を確保し得る。凸部が互に接触する部分には、結合部を設けることもできるから、雨水等処理設備用構造体には、より優れた機械的強度を確保し得る。
【００３０】
さらに、上述した組み合わせ構造によると、凸部と凹部とによって生ずる高低差により、各凹部間には空隙を多数または広く形成できる。空隙は、雨水等の貯留空間として使用することができるから、本発明に係る雨水等処理設備用構造体によると、雨水等の貯留空間を広く確保することができる。
【００３１】
加えて、雨水等処理設備用構造体の内部に流入した雨水等は、連続する各凹部間の各空隙を通じて容易に流動しうる。従って、この種の雨水等処理設備用構造体を含む雨水等処理設備において、完全に区画された構造を有する区画枠体を使用する従来技術に比べ、実質的に雨水等の貯留空間を広く確保することができる。
【００３２】
雨水等処理設備用構造体は、具体的な設置場所に適した外郭形状に成形することができる。また、雨水等処理設備用構造体は、複数の凹凸板の組み合わせ構造であるから、凹凸板の使用数を適宜増減することにより、多様な施工条件において平面積、及び、容積の違いに容易に追従できる。
【００３３】
本発明に係る雨水等処理設備用構造体は、好ましい１つの態様として、少なくとも１つの面板部材を含む。前記面板部材は、平板状であり、前記複数の凹凸板の一端に組み合わされる。このような構造であると、雨水等処理設備に用いた場合に、面板部材を荷重受け面として機能させ、沈みこみを防止することができる。
また、面板部材を荷重受け面として機能させ、複数の凹凸板を、容易に、且、安定して、垂直方向に積み重ねることができる。雨水等処理設備用構造体は、面板部材を含むことにより、その組み立て作業を容易、且、安定して実行することができる。
【００３４】
本発明に係る雨水等処理設備用構造体の別の態様として、前記凹凸板は、表面及び裏面において、条状の凹部及び凸部を交互に繰り返す板状部材であり、さらに、天板部と、底板部とを有する構造であってもよい。前記天板部と、前記底板部のそれぞれは、前記凹凸板の長さ方向の両端部に備えられている。
【００３５】
上述した構造によると、雨水等処理設備用構造体は構造的一体性が向上し、優れた機械的強度を有することができる。
【００３６】
前記複数の凹凸板は、隣接する前記凹凸板の相対向面において、それぞれの前記凹部、及び、前記凸部が直交するように順次に組み合わされ、前記直交する部分で前記凸部が互に接触する部分を有する。
【００３７】
雨水等処理設備用構造体が、天板部と、底板部とを有する凹凸板を含む構成によると、上述したような面板部材を必要としないから、複数の凹凸板の組み合わせ枚数を調整することにより、具体的な施工条件のもと、雨水等処理設備用構造体の外形寸法を自在に設定し、平面積、及び、容積の違いに容易に追従し得る。
【００３８】
前記複数の凹凸板は、隣接する前記凹凸板の相対向面において、それぞれの前記凹部、及び、前記凸部が平行するように順次に組み合わされ、前記凸部が互に接触する部分を有する。
【００３９】
上述したように天板部と、底板部とを有する凹凸板は、優れた構造的一体性を有するから、複数の凹凸板を用いて、隣接する凹凸板の相対向面において、それぞれの凹部、及び、凸部が平行するように、順次に組み合わせたとしても適当な機械的強度をうることができる。
【００４０】
また、複数の凹凸板は、隣接する凹凸板の相対向面において、それぞれの凹部、及び、凸部が平行するように順次に組み合わせる組み立て作業は、容易に、且、迅速に行うことができる。
【００４１】
本発明に係る雨水等処理設備用構造体は、更に別の態様として、前記凹凸板は、表面及び裏面において、条状の凹部及び凸部を交互に繰り返す板状部材であり、
前記凹凸板は、全周が側板部で覆われている構造であってもよい。
【００４２】
上述した構造によると、雨水等処理設備用構造体は構造的一体性が向上し、優れた機械的強度を有することができる。
【００４３】
前記複数の凹凸板は、隣接する前記凹凸板の相対向面において、それぞれの前記凹部及び前記凸部が、直交するように順次に組み合わされ、前記直交する部分で前記凸部が互に接触する部分を有する。雨水等処理設備用構造体が、全周が側板部で覆われている凹凸板を含む構成によると、上述したような面板部材を必要としないから、複数の凹凸板の組み合わせ枚数を調整することにより、具体的な施工条件のもと、雨水等処理設備用構造体の外形寸法を自在に設定し、平面積、及び、容積の違いに容易に追従し得る。
【００４４】
前記複数の凹凸板は、隣接する前記凹凸板の相対向面において、それぞれの前記凹部及び前記凸部が、平行するように順次に組み合わされ、前記凸部が互に接触する部分を有する。上述したように全周が側板部で覆われている凹凸板は、優れた構造的一体性を有するから、複数の凹凸板を用いて、隣接する凹凸板の相対向面において、それぞれの凹部、及び、凸部が平行するように、順次に組み合わせたとしても適当な機械的強度をうることができる。
【００４５】
また、複数の凹凸板は、隣接する凹凸板の相対向面において、それぞれの凹部、及び、凸部が平行するように順次に組み合わせる組み立て作業は、容易、且、迅速に行うことができる。
【００４６】
２．雨水等処理設備
本発明に係る雨水等処理設備は、雨水等処理設備用構造体と、処理層とを含む。前記雨水等処理設備用構造体は、地中に埋設される。前記処理層は、遮水層であって、前記雨水等処理設備用構造体の周囲に設けられている。
【００４７】
また、本発明に係る雨水等浸透設備は、雨水等処理設備用構造体と、処理層とを含む。前記雨水等処理設備用構造体は、地中に埋設される。前記処理層は、透水層であって、前記雨水等処理設備用構造体の周囲に設けられている。
【００４８】
ここで、雨水等処理設備用構造体は、前述した本発明に係る雨水等処理設備用構造体である。従って、本発明に係る雨水等処理設備用構造体の説明で述べた全ての利点が、上述した雨水等処理設備でも得られることは明らかである。
【００４９】
本発明の他の目的、構成、及び、利点については、添付図面を参照し、更に詳しく説明する。添付図面は、単に、例示に過ぎない。
【００５０】
【発明の実施の形態】
１．雨水等処理設備用構造体
図１は本発明に係る雨水等処理設備用構造体の斜視図、図２は図１に示した雨水等処理設備用構造体の平面図、図３は図１に示した雨水等処理設備用構造体の側面図、図４は図１に示した雨水等処理設備用構造体の正面図である。図中の矢印Ｘは雨水等処理設備用構造体の縦方向を示し、同様に、矢印Ｙは横方向を示し、矢印Ｚは高さ方向を示す。
【００５１】
図１乃至図４に示す雨水等処理設備用構造体は、複数の凹凸板２０を含む。複数の凹凸板２０のそれぞれは、表面及び裏面において、条状の凹部２２、及び、凸部２１を交互に繰り返す板状部材である。複数の凹凸板２０は、隣接する凹凸板２０の相対向面において、それぞれの凹部２２及び凸部２１が、直交するように順次に組み合わされ、直交する部分で凸部２１が互に接触する接触部２３を有する。
【００５２】
より詳細に説明すると、凹凸板２０は、表面及び裏面において条状の凹部２２、及び、凸部２１を交互に連続して繰り返す断面波形形状であって、表面側の凸部２１は、裏面側においては凹部２２となる。複数の凹凸板２０において、凸部２１、及び、凹部２２は、隣接する２つの凹凸板２０の接触面を基準にして、接触面上にある部分を凸部２１とし、接触面よりも凹凸板２０の方向に後退する部分を凹部２２とする。
【００５３】
図示する凹凸板２０において、凸部２１、及び、凹部２２の断面波形形状は、凹凸板２０の外郭形状の一辺に対し、平行する直線部分を含む。直線部は、凸部２１、及び、凹部２２とともに条状にのびている。
【００５４】
凹凸板２０の断面波形形状は、凹凸板２０の外郭形状と区別される内部構造である。凹凸板２０は、断面波形形状のピッチ数や、ピッチ間隔等に制約されることなく、外郭形状を任意に設定できる。例えば、図示する凹凸板２０の外郭形状は略正方形形状であるが、長方形形状や、多角形形状を採ることもできる。
【００５５】
さらに、複数の凹凸板２０の直交構造も、雨水等処理設備用構造体の外郭形状と区別される内部構造である。凹凸板２０を組み合わせて成形される雨水等処理設備用構造体の外郭形状は、凹凸板２０の断面波形形状によっては決定されない。むしろ、凹凸板２０の外郭形状を任意に設定することで、雨水等処理設備用構造体の外郭形状は、正六面体状や、直方体状等、具体的な設置場所に適した任意の外郭形状に設定することができる。
【００５６】
図示する雨水等処理設備用構造体において、複数の凹凸板２０の各凸部２１間が互に接触する接触部２３には、結合部を設けることができる。結合部は、隣接する２つの凹凸板２０を結合する。結合部としては、ビス止め等の機械的機構によるほか、熱溶着による結合、接着材等による結合等を任意に選択することができる。また、それらの結合部を併用してもよい。
【００５７】
一方、各凹部２２間には、凸部２１と凹部２２とによって生ずる高低差により、空隙２５が成形される。空隙２５は、図示する雨水等処理設備用構造体が雨水等処理設備に設けられた場合、雨水等の貯留空間として機能する。
【００５８】
図示する凹凸板２０は、好ましくは、条状にのびる凹部２２に梁部２４を有する。梁部２４は、凸部２１から伸びる少なくとも一側面と、凹部２２とを連結し、凹凸板２０に優れた構造的一体性を確保している。即ち、梁部２４は、主に、凹凸板２０、及び、それら凹凸板２０により構成される雨水等処理設備用構造体の機械的強度を高める補強部分である。従って、梁部２４の規模、設置数、及び、設置場所は、設計的事項に属する。
【００５９】
図示する複数の凹凸板２０のそれぞれは、好ましくは通水孔２６を含む。図示する通水孔２６は、円形状の貫通孔であって、凸部２１または凹部２２を挟んで両側面それぞれに上下に２つ設けられているが、例示に過ぎない。通水孔２６の孔形状、設置位置、及び、設置数は、設計的事項である。
【００６０】
通水孔２６を設けることにより、雨水等が、複数の空隙２５の相互間をより自由に流動するから、雨水等の貯留空間全体の水位が均一化し、貯水効率が向上する。
【００６１】
複数の凹凸板２０のそれぞれは、成形容易性、及び、組み立て容易性の観点から、好ましくは合成樹脂材料が用いられる。用いられる合成樹脂材料としては、ポリプロピレン（ＰＰ）、またはポリ塩化ビニル（ＰＶＣ）等が一般的である。例えば、熱溶着性を有する合成樹脂材料を用いて凹凸板２０を成形した場合、通水孔２６や、接触部２３に結合部を成形する場合、熱コテ等を利用することができる。
【００６２】
これに対し、熱溶着性を有しない合成樹脂材料を用いて凹凸板２０を成形した場合でも、接触部２３にビス止め機構を配置し、接着剤等を塗布することで、結合部を成形することができる。また、先端部が鋭利な穴あけ工具等を使用して通水孔２６を成形することもできる。
【００６３】
上述のように、複数の凹凸板２０のそれぞれは、表面及び裏面において、条状の凹部２２及び凸部２１を交互に繰り返す板状部材であるから、優れた機械的強度を有する。また、凹凸板２０は、好ましくは合成樹脂材料で成形され、条状の凹部２２、及び、凸部２１を交互に繰り返す構造であるから、製造加工を容易、且、迅速に実行しうる。従って、それら凹凸板２０を含む雨水等処理設備用構造体は、製造加工を容易、且、迅速に実行しうるとともに、優れた機械的強度を有する。
【００６４】
雨水等処理設備用構造体は、構成部材たる凹凸板２０それ自体が優れた機械的強度を有することにより、軽量な薄板構造で形成することができる。従って、雨水等処理設備において構造体の占拠率を低減することができるから、雨水等の貯留空間の有効利用を図ることができる。また、凹凸板２０を軽量な薄板構造で形成することができるから、雨水等処理設備用構造体の組み立て作業を容易に実行できる。
【００６５】
凹凸板２０は、表面及び裏面において、条状の凹部２２及び凸部２１を交互に繰り返す板状部材である。従って、凹部２２及び凸部２１を同一ピッチで成形することにより、条状の凹部２２及び凸部２１が同一方向を向くように位置決めすれば、複数の凹凸板２０を相互に密着して重ね合わせることができる。従って、嵩を縮小し、複数の凹凸板２０の運搬作業を容易に実行できる。
【００６６】
図示する凹凸板２０には、好ましい例として、凸部２１、凹部２２、及び、凹凸板２０の端縁には、条状にのびる直線部が含まれている。凸部２１、凹部２２、及び、凹凸板２０の端縁は、凹凸板２０において、土圧等の押圧力が集中しやすい部位である。これ等の箇所に条状にのびる直線部を成形することで、土圧等の押圧力が一点に集中することを防止し、辺全体、及び、面全体で押圧力に対抗することができる。従って、それら凹凸板２０を含む雨水等処理設備用構造体は、優れた機械的強度を有する。
【００６７】
また、凸部２１、凹部２２、及び、凹凸板２０の端縁が、条状にのびる直線部を有することで、隣接する凹凸板２０を直交して組み合わせた場合に、凸部２１が互に接触する接触部２３を広く確保することができる。
【００６８】
図示実施例に係る雨水等処理設備用構造体は、おのおの隣接する凹凸板２０の相対向面において、それぞれの凹部２２、及び、凸部２１が、直交するように順次に組み合わされており、凸部２１の直交する部分が多数発生する。凸部２１の直交する部分は接触部２３を含み、接触部２３には結合部を設けることができる。従って、雨水等処理設備用構造体は、優れた機械的強度を有することができる。また、上述した構造によると、例えば、矢印Ｙで示す方向から加えられる土圧等の押圧力を、複数の接触部２３により、分散して支持することができるから、接触部２３が結合部を有しなかったとしても、雨水等処理設備用構造体は、優れた耐圧性、機械的強度を確保し得る。
【００６９】
複数の凹凸板２０が直交して組み合わされている構造によると、土圧等の押圧力に対抗する方向を多様化できる。即ち、雨水等処理設備用構造体は、少なくとも矢印Ｚ及び矢印Ｘで示す２方向から加えられる土圧等の押圧力に対抗することができるから、優れた機械的強度を確保し得る。
【００７０】
図示する雨水等処理設備用構造体には、凸部２１と凹部２２とによって生ずる高低差により、各凹部２２間に空隙２５が多数、または、広く成形し得る。各空隙２５は、雨水等の貯留空間として使用することができるから、雨水等処理設備用構造体によると、雨水等の貯留空間を広く確保することができる。
【００７１】
更に、凸部２１の直交する部分以外には接触部２３を有しないから、雨水等処理設備用構造体の空隙２５の内部に流入した雨水等は、連続する各凹部２２間の各空隙２５を通じて容易に流動しうる。従って、この種の構造体を含む雨水等処理設備において、完全に区画された構造を有する区画枠体を使用する従来技術に比べ、実質的に雨水等の貯留空間を広く確保することができる。
【００７２】
雨水等処理設備用構造体は複数の凹凸板２０の組み合わせ構造であるから、雨水等処理設備に用いる場合に、凹凸板２０の使用枚数を適宜増減し、更には、凹凸板２０自体の寸法等を適宜設定することにより、多様な施工条件において平面積、及び、容積の違いに容易に追従できる。図１乃至図４において、雨水等処理設備用構造体は、３枚の凹凸板２０の組み合わせで示されているが、例示に過ぎない。
【００７３】
図５は更に面板部材３０を含む雨水等処理設備用構造体の斜視図、図６は図５に示した雨水等処理設備用構造体の平面図、図７は図５に示した雨水等処理設備用構造体の側面図である。図１乃至図４に示した構成部分と同一の構成部分については、同一の参照符号を付し、重複説明は省略する。図５乃至図７に示す雨水等処理設備用構造体は、図１乃至図４に示した雨水等処理設備用構造体を２つ含み、６枚の凹凸板２０を順次組み合わせた構造を有する。そして、図示実施例では、更に、面板部材３０を含む。
【００７４】
図８は図５に示した雨水等処理設備用構造体について、さらに面板部材を含む分解構造図、図９は図８に示す面板部材の斜視図、図１０は図９に示した面板部材の正面図、図１１は図９に示した面板部材の側面図である。
【００７５】
まず、面板部材の構造について、図９を参照すると、面板部材３０は平板状であって、突片３１が８個設けられている。突片３１のそれぞれは、貫通孔３２を挟んで２つ一組となるように配置されている。
【００７６】
図示する貫通孔３２は、円形状であって、凸部２１もしくは凹部２２を挟んで面板部材３０の面内に等間隔に４つ設けられているが、例示に過ぎない。貫通孔３２の孔形状、設置位置、及び、設置数は、設計的事項である。
【００７７】
図１０及び図１１に示した面板部材３０において、突片３１は、一面上にのみ設けられている。図１０及び図１１に示す面板部材３０は、上下反転して使用することで、図８に示す天板部材３７、又は、底板部材３８として使用することができる。
【００７８】
次に、複数の凹凸板と、面板部材との組み合わせについて説明する。図８に示すように、複数の凹凸板２０は、面板部材３０上に配置されると、複数の凹凸板２０の端面と、面板部材３０との相対向面において、突片３１が凹部２２内に配置され、複数の凹凸板２０を保持する（図６参照）。
【００７９】
複数の凹凸板２０は、通常、上下端面が同一構造をとることができる。面板部材３０を二枚使用し、一方を上下反転して天板部材３７、及び、底板部材３８として用いた場合、それぞれの複数の突片３１が相対向するように配置し、それぞれに備えられた複数の突片３１により、組み合わせに係る複数の凹凸板２０を上下方向から挟持することができる。
【００８０】
上述のように、雨水等処理設備用構造体が面板部材３０を含む構造であると、面板部材３０を荷重受け面として機能させ、沈みこみを防止することができる。
また、面板部材３０を荷重受け面として機能させ、複数の凹凸板２０を、容易に、且、安定して、垂直方向に積み重ねることができる。雨水等処理設備用構造体は、面板部材３０を含むことにより、その組み立て作業を容易、且、安定して実行することができる。
【００８１】
また、複数の凹凸板２０が面板部材３０の突片３１により保持される構造によると、雨水等処理設備用構造体の構造的一体性を向上することができるから、雨水等処理設備用構造体を安定して雨水等処理設備内に設置することができる。また、雨水等処理設備用構造体の組み立て作業を容易に実行することができる。
【００８２】
図８には示されていないが、雨水等処理設備用構造体の全周を板状部材で覆うこともできる。
【００８３】
図１２は図９に示した面板部材の異なる実施例を示す正面図、図１３は図１２に示した面板部材の側面図である。図１２及び図１３に示す面板部材の基本的構造は、図１０及び図１１に示した面板部材と同一である。但し、図１２及び図１３に示す面板部材は、上下両面側に複数の突片３１を有する。
【００８４】
上述したように、複数の凹凸板２０は、通常、上下端面が同一構造をとることができる。そして、通常、雨水等処理設備には複数の凹凸板２０もしくは複数の雨水等処理設備用構造体が縦横、左右、上下に連接して用いられる。
【００８５】
図１２乃び図１３に示す面板部材は、中間板部材であって、表面及び裏面に複数の突片３１を備え、複数の雨水等処理設備用構造体が上下に連接された場合に、天板部材３７と底板部材３８との間において使用され、天板部材３７と、底板部材３８を兼用する。即ち、中間板部材を使用することで、天板部材３７と底板部材３８との重複を防止することができる。従って、部材数を削減して、雨水等の貯留空間を広く確保しうるとともに、雨水等処理設備用構造体の設置工程、雨水等処理設備の施工工程を簡略化することができる。
【００８６】
また、図１２乃び図１３に示す面板部材によると、雨水等処理設備用構造体が相互的に共有部分を有することとなる。その結果、雨水等処理設備用構造体の有機的一体性を向上することができるから、雨水等処理設備用構造体を安定して設置し、且、優れた機械的強度を確保することができる。
【００８７】
図１２乃び図１３に示す面板部材は、貫通孔３２を有するから、雨水等処理設備用構造体の内部における、垂直方向への雨水等の流動が容易に行なわれる。従って、この種の雨水等処理設備用構造体を含む雨水等処理設備において、完全に区画された構造を有する区画枠体を使用する従来技術に比べ、実質的に雨水等の貯留空間を広く確保することができる。
【００８８】
図１４は、本発明に係る雨水等処理設備の断面図である。図示する雨水等処理設備は、雨水等処理設備用構造体１０と、処理層６０とを含む。雨水等処理設備用構造体１０は、地中に埋設される。処理層６０は、遮水層であって、雨水等処理設備用構造体１０の周囲に設けられている。
【００８９】
ここで、図示する雨水等処理設備用構造体１０は、面板部材３０として、更に上述した中間板部材３９を含む。中間板部材３９は、複数の突片３１と、貫通孔３２とを有する。複数の突片３１は、中間板部材３９の表面及び裏面に備えられる。表面及び裏面に備えられた複数の突片３１は、それぞれの面が対向する天板部材３７、または、底板部材３８の突片３１とともに、複数の凹凸板２０を保持している。
【００９０】
雨水等処理設備用構造体１０は、図１乃至図１３を参照して説明した雨水等処理設備用構造体である。従って、図１乃至図１３の説明で述べた全ての利点が、上述した雨水等処理設備でも得られることは明らかである。
【００９１】
上述したように、雨水等処理設備用構造体１０は、図１乃至図１３に示した雨水等処理設備用構造体であって、優れた機械的強度を有するから、設置穴４０内部において、複数を上下、左右、及び、縦横に積み重ねることができる。また、雨水等処理設備用構造体１０を大規模に製造して、１つだけ埋設してもよい。図示する雨水等処理設備用構造体１０の設置姿勢は例示に過ぎない。
【００９２】
保護層５０は、通常、土、砂利、コンクリート、または、アスファルト等を含み、主に地表面からの押圧力、または、衝撃に耐えるとともに、設備内部への異物混入を防止する機能を有する。
【００９３】
流入管７０は、別異の装置で集水した雨水等を、処理設備内に注入する機能を有する。流入管７０は、周知の方法により、雨水等処理設備用構造体１０に挿入されている。上述した流入管７０の配置によると、雨水等は雨水等処理設備用構造体１０の内部を三次元方向に拡散しつつ円滑に流入する。
【００９４】
図示する雨水等処理設備は、排水装置８０を含む。排水装置８０は、流出管８１と、吸水口８２と、排水管８３とを含む。排水装置８０は、周知の排水桝、または、マンホールを含み、これらは当該技術分野において周知の技術であるから詳細は省略する。流出管８１は、周知の方法により、雨水等処理設備用構造体１０に挿入されている。流出管８１には、排水装置８０の内部側に、好ましくは、小孔オリフィス等を設けることで、雨水処理設備からの雨水等の流出量を調整する。排水管８３は、一端側において吸水口８２と連続しており、他端側においてポンプ等の駆動装置に接続されている。
【００９５】
流入管７０から矢印Ｍで示す方向に流れ込んだ雨水等は、雨水等処理設備用構造体１０の内部に一次的に貯留される。雨水等処理設備用構造体１０の内部に一時的に貯留された雨水等は、流出管８１を通して、矢印Ｍで示す方向に排水装置８０の内部へ送られる。排水装置８０の内部に送られた雨水等は、吸水口８２から排水管８３の内部を、矢印Ｍで示す方向に吸い上げられ、外部に排出される。
【００９６】
即ち、雨水等処理設備が、雨水等貯留設備である場合、処理層６０には遮水層として機能が付される。これは、雨水等の貯留を主目的としていることに起因する。そして、雨水等貯留設備には、一般に、排水装置８０等が隣接配置される。
【００９７】
これに対し、雨水等処理設備が、雨水等浸透設備である場合、処理層６０には透水層として機能が付される。透水層は、通常、不織布等の透水性素材を含み、設備内部に対する異物混入を防止すると共に、貯留された雨水等の排出部として機能する。従って、雨水等処理設備は、必ずしも排水装置８０を設けなくともよい。
【００９８】
２．凹凸板及び雨水等処理設備用構造体の他の例
（１）凹凸板
図１５は本発明に係る凹凸板２０の実施例を示す斜視図、図１６は図１５に示した凹凸板２０の正面図、図１７は図１５に示した凹凸板２０の側面図である。
【００９９】
図１乃至図８に示す凹凸板２０と、図１５乃至図１７に示す凹凸板２０とは、ともに表面及び裏面において、条状の凹部２２、及び、凸部２１を交互に繰り返す板状部材である点で共通するから、重複説明は省略する。
【０１００】
図１５乃至図１７に示した雨水等処理設備用構造体は、さらに、条状の凹部２２、及び、凸部２１の両端面に天板部２７と、底板部２８とを有する点で、図１乃至図８に示した凹凸板２０と相違点がある。以下、相違点について説明する。
【０１０１】
図示する雨水等処理設備用構造体の特徴について、凹凸板２０は、さらに、天板部２７と、底板部２８とを有する。天板部２７と、底板部２８のそれぞれは、凹凸板２０の長さ方向の両端縁に備えられ、凹部２２、及び、凸部２１を連結する。従って、雨水等処理設備用構造体は構造的一体性が向上し、さらに優れた機械的強度を有することができる。
【０１０２】
また、天板部２７と、底板部２８のそれぞれは、凹凸板２０の長さ方向の両端縁に備えられ、凹部２２、及び、凸部２１を連結するから、雨水等処理設備用構造体を複数使用し、雨水等処理設備を構成した場合に、上述した面板部材３０を用いることなく、安定して設置することができる。即ち、雨水等処理設備用構造体の取り扱い、及び、組み立て作業が容易にできる。
【０１０３】
更に、図示する雨水等処理設備用構造体によると、雨水等処理設備に配置する場合の配置工程が容易に実行できるようになる。即ち、図１乃至図８に示した雨水等処理設備用構造体においては、雨水等処理設備用構造体の設置場所に、面板部材３０を適切に配置しうることが重要である。設置穴４０の規模は、面板部材３０の表面積を考慮して設定する必要があり、場合によっては現場で微調整を強いられる不都合が生じる点で、必ずしも付設工事が容易ではない。
【０１０４】
これに対し、図１５乃至図１７に示す雨水等処理設備用構造体によると、面板部材３０が凹凸板２０と一体化しているから、設置面積の小さい凹凸板２０、もしくは、それら凹凸板２０を組み合わせた雨水等処理設備用構造体の配置は、設置穴４０における設置作業、及び、設置に係る微調整を容易に実行することができる。
【０１０５】
（２）構造体
図１８は図１５乃至図１７に示した凹凸板２０を含む雨水等処理設備用構造体の斜視図、図１９は図１８に示した雨水等処理設備用構造体の平面図、図２０は図１８に示した雨水等処理設備用構造体の側面図である。図１８乃至図２０に示した雨水等処理設備用構造体ついて、図１乃至図８に示した雨水等処理設備用構造体と、重複する説明は省略する。
【０１０６】
図示する雨水等処理設備用構造体は、図１５乃至図１７に示した凹凸板２０を複数含む。複数の凹凸板２０は、隣接する凹凸板２０の相対向面において、それぞれの凹部２２、及び、凸部２１が直交するように順次に組み合わされ、直交する部分で凸部２１が互に接触する接触部２３を有する。従って、図１８乃至図２３に示す雨水等処理設備用構造体は、図１５乃至図１７に示す凹凸板２０と同様の施工容易性を有する。一方、図１８乃至図２３に示す雨水等処理設備用構造体においては、別個に面板部材３０を必要としないから、複数の凹凸板２０の組み合わせ枚数を設定すると同時に、設置場所への適当な面積の範囲内に調整することができる。
【０１０７】
また、凹凸板２０は天板部２７、及び、底板部２８を有することで優れた構造的一体性を有するから、その様な凹凸板２０を複数含む雨水等処理設備用構造体は、優れた機械的強度を有する。
【０１０８】
図２１は図１８に示した雨水等処理設備用構造体の別の実施例を示す斜視図、図２２は図２１に示した雨水等処理設備用構造体の平面図、図２３は図２１に示した雨水等処理設備用構造体の側面図である。
【０１０９】
図２１乃至図２３に示す雨水等処理設備用構造体は、図１５乃至図１７に示す凹凸板２０を含む。複数の凹凸板２０は、隣接する凹凸板２０の相対向面において、それぞれの凹部２２、及び、凸部２１が平行するように順次に組み合わされ、凸部２１が互に接触する部分２３を有する構造を有する。
【０１１０】
図２１乃至図２３に示す雨水等処理設備用構造体のように、隣接する凹凸板２０の相対向面において、それぞれの凹部２２、及び、凸部２１が平行するように順次に組み合わせる構造によると、隣接する２つの凸部２１の接触する部分２３を広く確保することができる。
【０１１１】
接触する部分２３には結合部を設けることができるから、直交構造に比べ雨水等処理設備用構造体により強固な機械的強度を確保することができるとともに、組み立て工程、特に接触する部分２３に結合部を設ける工程を効率よく行うことができる。即ち、図１５乃至図１７に示す凹凸板２０を用いて、図２１乃至図２３に示す雨水等処理設備用構造体を構成した場合、順次に組み合わされていても適当な機械的強度をうることができるとともに、施工効率を向上することができる。
【０１１２】
より詳細に説明すると、まず、隣接する２つの凹凸板２０を、断面波形形状の頂点部を左右反転して、凸部２１が平行するように配置する。そして、好ましくは、接触する部分２３で、結合部により、凹凸板２０を保持する。結合部としては、例えば、ビス止め、接着剤、熱溶着、凹凸嵌合等を適宜選択することができる。
【０１１３】
但し、必ずしも接触する部分２３に結合部を設ける必要はない、例えば、後述する面板部材３０に取付け溝等を設けるなどして、複数の凹凸板２０相互間に敢えて結合部を設けない構造をとることもできるし、複数の凹凸板２０を一定数組み合わせて後に、外周から、タガ状体や枠状体等による締め付けにより、一体的な雨水等処理設備用構造体を成形してもよい。
【０１１４】
図２４は、図１５乃至図２３に示した雨水等処理設備用構造体を含む雨水等処理設備の断面図である。図２４に示す雨水等処理設備において、図１４に示す雨水等処理設備と重複する内容には同一符号を付し、説明は省略する。
【０１１５】
図２４に示す雨水等処理設備は、図１５乃至図１７に示す凹凸板２０、もしくは図１８乃至図２３に示す雨水等処理設備用構造体を含む点に特徴がある。従って、上述した凹凸板２０、及び、雨水等処理設備用構造体の利点をすべて含む雨水等処理設備を提供することができる。
【０１１６】
３．凹凸板及び雨水等処理設備用構造体の更に別の例
図２５は本発明に係る更に別の雨水等処理設備用構造体を示す斜視図、図２６は図２５に示した雨水等処理設備用構造体の一部分解構造図、図２７は図２５に示した雨水等処理設備用構造体の別の実施例を示す一部分解構造図である。
【０１１７】
（１）凹凸板
図２５乃至図２７に示す雨水等処理設備用構造体は、図１乃至図８に示す凹凸板２０、及び、図１５乃至図１７に示す凹凸板２０と同様に、表面及び裏面において、条状の凹部２２、及び、凸部２１を交互に繰り返す板状部材を含む点で共通する。この構造は、前述した凹凸板２０と同様であるから、重複説明は省略する。
【０１１８】
図２５乃至図２７に示した雨水等処理設備用構造体、及び、凹凸板は、周囲が側板部２９で覆われている点で、図１乃至図２４に示した凹凸板２０、又は、雨水等処理設備用構造体と相違点がある。以下、相違点について説明する。
【０１１９】
図２５乃至図２７に示す雨水等処理設備用構造体の特徴について、凹凸板は、全周が側板部２９で覆われている。従って、雨水等処理設備用構造体を複数使用し、雨水等処理設備を構成した場合に、上述した面板部材３０を用いることなく、安定して設置することができる。即ち、取り扱い、及び、組み立て作業が容易にできる。
【０１２０】
また、当該雨水等処理設備用構造体の特徴について、凹凸板は、全周が側板部２９で覆われているから、図１５乃至図１７に示す凹凸板よりも更に構造的な一体性に優れ、優れた機械的強度を有することができる。
【０１２１】
側壁部２９は、一体成形された枠状体であってよいし、４枚の板状部材を組み合わせた構造であってもよい。
【０１２２】
（２）構造体
上述した凹凸板を含む雨水等処理設備用構造体の具体的構造については、実施例として図２６と、図２７とが示されている。
【０１２３】
図２６に示す雨水等処理設備用構造体においては、複数の凹凸板は、隣接する凹凸板の相対向面において、それぞれの凹部２２、及び、凸部２１が直交するように順次に組み合わされ、直交する部分で凸部２１が互に接触する接触部２３を有する。複数の凹凸板の相互関係について、それぞれの凹部２２、及び、凸部２１が直交するように、順次に組み合わされている構造によると、土圧等の押圧力に対抗する方向を多様化できるから、機械的強度はさらに優れたものとなる。
【０１２４】
一方、図２７に示す雨水等処理設備用構造体においては、複数の凹凸板は、隣接する凹凸板の相対向面において、それぞれの凹部２２、及び、凸部２１が平行するように順次に組み合わされ、凸部２１が互に接触する接触部２３を有する。
上述のように、凹凸板は、全周が側板部２９で覆われており、優れた構造的一体性、及び、機械的強度を有するから、複数の凹凸板を用いて、隣接する凹凸板の相対向面において、それぞれの凹部２２、及び、凸部２１が平行するように、順次に組み合わされていても適当な機械的強度をうることができるとともに、施工効率を向上することができる。
【０１２５】
４．雨水等処理設備
図２８は、図２５乃至図２７に示した雨水等処理設備用構造体を含む雨水等処理設備の断面図である。図２８に示す雨水等処理設備において、図２４に示す雨水等処理設備、及び、図１４に示す雨水等処理設備と重複する内容には同一符号を付し、説明は省略する。
【０１２６】
図２８に示す雨水等処理設備は、図２５乃至図２７に示す凹凸板、もしくは雨水等処理設備用構造体を含む点に特徴がある。従って、上述した凹凸板、及び、雨水等処理設備用構造体の利点をすべて含む雨水等処理設備を提供することができる。
【０１２７】
以上、好ましい実施例を参照して本発明の内容を具体的に説明したが、本発明の基本的技術思想、及び、教示に基づいて、当業者であれば、種々の変形態様を採り得ることは自明である。
【０１２８】
【発明の効果】
以上述べたように、本発明によれば、次のような効果を得ることができる。
（ａ）優れた機械的強度を有する雨水等処理設備用構造体、及び、これを用いた雨水等処理設備を提供することができる。
（ｂ）製造加工や組み立て作業を容易、且、迅速に実行し得る雨水等処理設備用構造体、及び、これを用いた雨水等処理設備を提供することができる。
（ｃ）雨水等の貯留空間を広く確保することができる雨水等処理設備用構造体、及び、これを用いた雨水等処理設備を提供することができる。
（ｄ）幅、深さ、及び、長さを自在に変更し、平面積、及び、容積の違いに容易に追従し得る雨水等処理設備用構造体、及び、これを用いた雨水等処理設備を提供することができる。
【図面の簡単な説明】
【図１】本発明に係る雨水等処理設備用構造体の斜視図である。
【図２】図１に示した雨水等処理設備用構造体の平面図である。
【図３】図１に示した雨水等処理設備用構造体の側面図である。
【図４】図１に示した雨水等処理設備用構造体の正面図である。
【図５】更に面板部材を含む雨水等処理設備用構造体の斜視図である。
【図６】図５に示した雨水等処理設備用構造体の平面図である。
【図７】図５に示した雨水等処理設備用構造体の側面図である。
【図８】図５に示した雨水等処理設備用構造体について、さらに面板部材を含む分解構造図である。
【図９】図８に示す面板部材の斜視図である。
【図１０】図９に示した面板部材の正面図である。
【図１１】図９に示した面板部材の側面図である。
【図１２】図９に示した面板部材の異なる実施例を示す正面図である。
【図１３】図１２に示した面板部材の側面図である。
【図１４】本発明に係る雨水等処理設備の断面図である。
【図１５】本発明に係る凹凸板の実施例を示す斜視図である。
【図１６】図１５に示した凹凸板の正面図である。
【図１７】図１５に示した凹凸板の側面図である。
【図１８】図１５乃至図１７に示した凹凸板を含む雨水等処理設備用構造体の斜視図である。
【図１９】図１８に示した雨水等処理設備用構造体の平面図である。
【図２０】図１８に示した雨水等処理設備用構造体の側面図である。
【図２１】図１８に示した雨水等処理設備用構造体の別の実施例を示す斜視図である。
【図２２】図２１に示した雨水等処理設備用構造体の平面図である。
【図２３】図２１に示した雨水等処理設備用構造体の側面図である。
【図２４】図１８に示した雨水等処理設備用構造体を含む雨水等処理設備の断面図である。
【図２５】本発明に係る更に別の雨水等処理設備用構造体を示す斜視図である。
【図２６】図２５に示した雨水等処理設備用構造体の一部分解構造図である。
【図２７】図２５に示した雨水等処理設備用構造体の別の実施例を示す一部分解構造図である。
【図２８】図２５に示す雨水等処理設備用構造体を含む雨水等処理設備の断面図である。
【符号の説明】
２０            凹凸板
２１            凸部
２２            凹部
２３            接触部
２４            梁部
２５            空隙
２６            通水孔
Ｘ・Ｙ・Ｚ      縦・横・高さ方向
【図１】
2004204648.tif 000003
【図２】
2004204648.tif 000004
【図３】
2004204648.tif 000005
【図４】
2004204648.tif 000006
【図５】
2004204648.tif 000007
【図６】
2004204648.tif 000008
【図７】
2004204648.tif 000009
【図８】
2004204648.tif 000010
【図９】
2004204648.tif 000011
【図１０】
2004204648.tif 000012
【図１１】
2004204648.tif 000013
【図１２】
2004204648.tif 000014
【図１３】
2004204648.tif 000015
【図１４】
2004204648.tif 000016
【図１５】
2004204648.tif 000017
【図１６】
2004204648.tif 000018
【図１７】
2004204648.tif 000019
【図１８】
2004204648.tif 000020
【図１９】
2004204648.tif 000021
【図２０】
2004204648.tif 000022
【図２１】
2004204648.tif 000023
【図２２】
2004204648.tif 000024
【図２３】
2004204648.tif 000025
【図２４】
2004204648.tif 000026
【図２５】
2004204648.tif 000027
【図２６】
2004204648.tif 000028
【図２７】
2004204648.tif 000029
【図２８】
2004204648.tif 000030